(57)【特許請求の範囲】
【請求項１】
帯状でほぼコの字状に曲折される形状で下面板には、一端にフランジ部を有した筒状の機器の前記フランジ部の受部を有し、上面板には前記機器の筒状部分が嵌挿される大きさに開口できる切離線を有した緩衝材と、この緩衝材が収納される外装ケースとを備え、前記機器の設置時に前記緩衝材の上面板に形成した切離線により切離した切離部分を機器設置用の型紙に構成し、前記切離部分の中心に位置合わせ用の開口を形成した機器の包装装置。
【発明の詳細な説明】
【０００１】
【発明の属する技術分野】
本発明は、おもに空調や換気に用いられる機器の包装装置に関する。
【０００２】
【従来の技術】
従来の機器の包装装置として、実開昭５９−２２７８７号公報に示すようなものが発案されている。
【０００３】
以下、その構成について図７および図８を参照しながら説明する。
図に示すように、機器の本体１０１の底面に接する底板１０２と、この底板１０２の両側部の折り曲げ線１０３から折り曲げられ、本体１０１の左右側面に接する側板１０４と、この側板１０４側部の折り曲げ線１０５から折り曲げられ、Ｌ字状切込み１０６により本体１０１の前後を挟持するとともに機器の前部１０７を支持する上板１０８とにより、外箱１０９内に収容された本体１０１の移動を防止するホルダー１１０を構成する。
【０００４】
上記構成において、このホルダー１１０により本体１０１と外箱１０９の内側面との間に所定の空間を保持して本体１０１を緩衝保護させていた。
【０００５】
【発明が解決しようとする課題】
このような従来の機器の包装装置では、外箱１０９内に収められる機器の本体１０１を緩衝保護させているだけで、機器の本体１０１の施工現場において機器の本体１０１を外箱１０９から取り出したあとは、廃棄処分されてるだけで何の付加価値も持ち合わせていなかった。
【０００６】
本発明は上記課題を解決するもので、包装装置本来の目的である機器の緩衝保護だけでなく、機器の施工現場において包装装置自体に取付け工事、特に取付け面に機器挿入設置用の取付け孔を開ける際に省施工化が成しえるように包装材料の一部を折れ線に沿って切り取るだけで型紙として使用することができる付加価値機能を付加させ、廃却されるだけであった包装材料を有効に活用させることができる機器の包装装置を提供することを第１の目的とする。
【０００７】
また、第２の目的は、機器の施工現場において外装ケースから機器を取り出す際に、型紙機能の有無が一目で判別できるとともに、緩衝材から型紙を切り離しやすくすることにある。
【０００８】
また、第３の目的は、包装材料の一部を切り取って型紙として使用する際に、取付け面への位置合わせ作業をやりやすくすることにある。
【０００９】
また、第４の目的は、機器の施工現場において外装ケースから機器を取り出す際に、包装材料に付加させた型紙機能の有無が一目で判別でき、かつ商品としての視認性をより改善することにある。
【００１０】
【課題を解決するための手段】
本発明の機器の包装装置においては、帯状でほぼコの字状に曲折される形状で下面板には、一端にフランジ部を有した筒状の機器の前記フランジ部の受部を有し、上面板には前記機器の筒状部分が嵌挿される大きさに開口できる切離線を有した緩衝材と、この緩衝材が収納される外装ケースとを備え、前記機器の設置時に前記緩衝材の上面板に形成した切離線により切離した切離部分を機器設置の型紙に構成したものである。
【００１１】
本発明によれば、包装装置本来の目的である機器の緩衝保護だけでなく、機器の施工現場において包装装置自体に取付け工事、特に取付け面に機器挿入設置用の取付け孔を開ける際に省施工化が成しえるように包装材料の一部を切離線に沿って切り取るだけで型紙として使用することができる付加価値機能を付加させ、廃却されるだけであった包装材料を有効に活用させることができる機器の包装装置を提供することができる。
【００１２】
【発明の実施の形態】
本発明の請求項１に記載の発明は、帯状でほぼコの字状に曲折される形状で下面板には、一端にフランジ部を有した筒状の機器の前記フランジ部の受部を有し、上面板には前記機器の筒状部分が嵌挿される大きさに開口できる切離線を有した緩衝材と、この緩衝材が収納される外装ケ−スとを備え、前記機器の設置時に前記緩衝材の上面板に形成した切離線により切離した切離部分を機器設置用の型紙に構成し、前記切離部分の中心に位置合わせ用の開口を形成した機器の包装装置としたものであり、機器の施工現場において、取付け面に機器挿入設置用の取付け孔を開けるときに、緩衝材の上面板に形成された切離線に沿って切離し、切離部分を型紙とすることで、取付け面に機器挿入設置用の取付け孔を容易にけがくことができるという作用を有するとともに、包装材料の一部を切り取って型紙として使用する際に、取付け面への位置合わせ作業をやりやすくする。
【００１３】
以下、本発明の実施の形態について図１から図６を参照しながら説明する。
（実施の形態１）
図１から図３に示すように、帯状で折れ線１によりほぼコの字状に形成される下面板２に、一端にフランジ部３を有した筒状の機器４のフランジ部３が受けられる受部５とほぼコの字状に切れ線６を設け、折れ線７により曲折し起立して支持部８を形成し、機器４の上端に当接する上面板９に機器４の筒状部分１０が嵌挿される大きさに開口できる折れ線などの切離線１１を設けて緩衝材１２を形成し、緩衝材１２が収納される外装ケース１３とにより構成する。
【００１４】
上記構成において、機器４を包装するときには、緩衝材１２の下面板２が外装ケース１３内に収納された状態で機器４を受部５で受け、上面板９を機器４の上部に当接させるように緩衝材１２をほぼコの字状に曲折したのち、外装ケース１３の蓋をして包装する。
【００１５】
そして、機器４を設置する施工現場において、外装ケース１３より機器４を取出し、緩衝材１２の上面板９に形成した切離線１１により切離部分１４を切離し、機器４の取付け面１５に切離部分１４を型紙として機器４の取付け孔１６をけがき、取付け孔１６を形成する。
【００１６】
このように本発明の実施の形態１の機器の包装装置によれば、包装装置本来の目的である機器４の緩衝保護だけでなく、機器４の施工現場において包装装置自体に取付け工事、特に取付け面１５に機器挿入設置用の取付け孔１６を開ける際に省施工化が成しえるように包装材料の一部を切離線１１に沿って切り取るだけで切離部分１４を型紙として使用することができる付加価値機能を付加させ、廃却されるだけであった包装材料を有効に活用させることができる。
【００１７】
（実施の形態２）
図４に示すように、緩衝材１２Ａの上面板９Ａに機器挿入用の取付け孔（図示せず）の寸法に合わせて切離線１１Ａをミシン目で形成した構成とする。
【００１８】
上記構成において、機器（図示せず）の施工現場において外装ケース（図示せず）から機器４を取り出す際に、型紙機能の有無が一目で判別できるとともに、緩衝材１２Ａから切離部分１４Ａにより形成される型紙を切り離しやすくすることが可能となる。
【００１９】
このように本発明の実施の形態２の機器の包装装置によれば、包装材料に付加させた型紙機能の有無が一目で判別できるとともに、緩衝材１２Ａから型紙を切り離しやすくすることができる。
【００２０】
（実施の形態３）
図５に示すように、緩衝材１２Ｂの上面板９Ｂに機器挿入用の取付け孔（図示せず）の寸法に合わせて切離線１１Ｂによって形成された切離部分１４Ｂの中心に開口１７を形成した構成とする。
【００２１】
上記構成において、包装材料の一部を切り取った切離部分１４Ｂを型紙として使用する際に、開口１７を中心とすることにより取付け面（図示せず）への位置合わせ作業をやりやすくすることが可能となる。
【００２２】
このように本発明の実施の形態３の機器の包装装置によれば、包装材料の一部を切り取った切離部分１４Ｂを型紙として使用する際に、取付け面への位置合わせ作業をやりやすくすることができる。
【００２３】
（実施の形態４）
図６に示すように、緩衝材１２Ｃの上面板９Ｃに機器挿入用の取付け孔（図示せず）の寸法に合わせて切離線１１Ｃによって形成された切離部分１４Ｃに、ミシン目にて寸法線１８および寸法数字１９等の寸法表示を形成した構成とする。
【００２４】
上記構成において、機器（図示せず）の施工現場において外装ケース（図示せず）から機器（図示せず）を取り出す際に、包装材料に付加させた型紙機能の有無が一目で判別でき、かつ商品としての視認性をより改善することが可能となる。
【００２５】
このように本発明の実施の形態４の機器の包装装置によれば、機器の施工現場において外装ケースから機器を取り出す際に、包装材料に付加させた型紙機能の有無が一目で判別でき、かつ商品としての視認性をより改善することができる。
【００２６】
【発明の効果】
以上の実施の形態から明らかなように、本発明によれば、帯状でほぼコの字状に曲折される形状で下面板には、一端にフランジ部を有した筒状の機器の前記フランジ部の受部を有し、上面板には前記機器の筒状部分が嵌挿される大きさに開口できる切離線を有した緩衝材と、この緩衝材が収納される外装ケ−スとを備え、前記機器の設置時に前記緩衝材の上面板に形成した切離線により切離した切離部分を機器設置用の型紙に構成したので、包装装置本来の目的である機器の緩衝保護だけでなく、機器の施工現場において包装装置自体に取付け工事、特に取付け面に機器挿入設置用の取付け孔を開ける際に省施工化が成しえるように包装材料の一部を切離線に沿って切り取るだけで型紙として使用することができる付加価値機能を付加させ、廃却されるだけであった包装材料を有効に活用させることができる機器の包装装置を提供できる。
【００２７】
また、緩衝材の上面板に形成される切離線をミシン目で形成した構成としたので、包装材料に付加させた型紙機能の有無が一目で判別できるとともに、緩衝材から型紙を切り離しやすくする機器の包装装置を提供できる。
【００２８】
また、緩衝材の切離部分の中心に開口を形成した構成としたので、包装材料の一部を切り取って型紙として使用する際に、取付け面への位置合わせ作業をやりやすくする機器の包装装置を提供できる。
【００２９】
また、緩衝材の切離部分に切離部分の寸法を示すように、寸法線および寸法数字を形成した構成としたので、機器の施工現場において外装ケースから機器を取り出す際に、包装材料に付加させた型紙機能の有無が一目で判別でき、かつ商品としての視認性をより改善する機器の包装装置を提供できる。
【図面の簡単な説明】
【図１】本発明の実施の形態１の機器の包装装置の構成を示す分解斜視図
【図２】同機器の包装装置の緩衝材の展開図
【図３】同機器の包装装置の型紙使用時の状態を示す正面図
【図４】本発明の実施の形態２の機器の包装装置の緩衝材の展開図
【図５】本発明の実施の形態３の機器の包装装置の緩衝材の展開図
【図６】本発明の実施の形態４の機器の包装装置の緩衝材の展開図
【図７】従来の機器の包装装置の構成を示す展開図
【図８】同機器の包装装置において機器を外装ケースの中に収めた構成を示す断面図
【符号の説明】
２            下面板
３            フランジ部
４            機器
５            受部
９            上面板
９Ａ        上面板
９Ｂ        上面板
９Ｃ        上面板
１０        筒状部分
１１        切離線
１１Ａ    切離線
１１Ｂ    切離線
１１Ｃ    切離線
１２        緩衝材
１２Ａ    緩衝材
１２Ｂ    緩衝材
１２Ｃ    緩衝材
１３        外装ケース
１４        切離部分
１４Ａ    切離部分
１４Ｂ    切離部分
１４Ｃ    切離部分
１６        取付け孔
１７        開口
１８        寸法線
１９        寸法数字
【図１】
0003554473.tif 000002
【図２】
0003554473.tif 000003
【図３】
0003554473.tif 000004
【図４】
0003554473.tif 000005
【図５】
0003554473.tif 000006
【図６】
0003554473.tif 000007
【図７】
0003554473.tif 000008
【図８】
0003554473.tif 000009